(57)【要約】【課題】すぐに位置付けが可能で、様々な長さ仕様を有する布バナーにも適用することが可能な布バナー固定装置を提供すること。【解決手段】本発明は、天井または壁のような平面に取り付けられ、主に第１調整装置と第２調整装置からなり、布のバナーを掲げることに用いる布バナー固定装置を開示する。第２調整装置は、スライド・ユニットを具備してあり、またスライド・ユニットの内部に位置付けアームを設けてある。布バナーの両端部をそれぞれ第１調整装置と第２調整装置に組み込んでから、操作レバーでスライド・ユニットを移動することにより、布バナーを平らな状態にするように引っ張る。また、スライド・ユニットの内部に位置付けブロックを設けてあるので、スライド・ユニットが外力の影響を受けないことを確保することができる。これによりスライド・ユニットが左右へ移動することによる緩みを防止することが可能であるため、布バナーの張力不足に起因する縮れや緩みを有効に防止することができる。【選択図】図２
2016133804.tif 000002
【特許請求の範囲】
【請求項１】
布バナーを張って平らな状態に展開する布バナー固定装置において、
基部と、第１接続部と、第１棒本体とを有し、当該第１接続部が当該基部に組み付けられ、当該第１棒本体が当該第１接続部に内嵌される第１調整装置と、
スライド・レール基部と、スライド・ユニットと、第２棒本体とを含む第２調整装置とを備え、
当該スライド・ユニットは、ベースと、連動歯車と、連動ベルトと、二つの滑車と、固定カバーと、位置付けアームと、第２接続部とを構成してなり、
当該第２接続部及び当該位置付けアームは、それぞれ当該ベースに組み付けられ、且つ当該第２接続部は、当該第２棒本体に外嵌され、
当該連動ベルトは、当該連動歯車に噛み合わせられ、
当該二つの滑車は、それぞれ当該連動ベルトの上方に当該連動ベルトを押さて且つ当該連動歯車の両側に設けられ、
当該固定カバーで当該連動歯車と当該二つの滑車とを当該ベースに固定し、当該ベースは当該スライド・レール基部に組み付けられ、
当該布バナーの両側は、それぞれ当該第１棒本体と当該第２棒本体に固定してあり、
操作レバーで当該第２調整装置の当該スライド・ユニットを作動して往復運動させる時、当該スライド・ユニットは、同時に当該第２棒本体を駆動して当該第１調整装置の方向に対して往復移動させることで、当該布バナーを平らな状態に引っ張ることを特徴とする布バナー固定装置。
【請求項２】
当該第１接続部と当該第２接続部は、それぞれ一つの収容空間を形成し、当該第１棒本体と当該第２棒本体がそれぞれの当該収容空間に内嵌され、かつ当該第１棒本体と当該第２棒本体がそれぞれ複数の貫通孔を成形してあることを特徴とする請求項１の布バナー固定装置。
【請求項３】
当該連動ベルトの一面は噛み合い面を成形してあり、当該連動ベルトが当該連動歯車に噛み合わせる時に、当該噛み合い面と当該連動歯車の表面がきつく噛み合うことを特徴とする請求項１または２に記載の布バナー固定装置。
【請求項４】
当該第１接続部と当該第２接続部とは、その当該収容空間に少なくとも一つの弾性位置付け用部材を設けてあり、当該第１棒本体と当該第２棒本体がそれぞれ当該収容空間に内嵌される時に、当該弾性位置付け用部材が自動的に当該複数の貫通孔のうちの一つに入り込むことを特徴とする請求項２に記載の布バナー固定装置。
【請求項５】
当該スライド・レール基部は、複数の位置付け溝が形成され、当該位置付けアームとお互いに係合して位置付けを行うことを特徴とする請求項１ないし４のいずれかに記載の布バナー固定装置。
【請求項６】
当該布バナーの両端部は、それぞれ当該第１棒本体と当該第２棒本体に外嵌された後、当該第１棒本体と当該第２棒本体とがそれぞれ一個以上のCタイプ止め輪を利用して布バナーを固定することを特徴とする請求項１ないし５のいずれかに記載の布バナー固定装置。
【請求項７】
当該布バナーの両端部がそれぞれ当該第１棒本体と当該第２棒本体とに外嵌された後、当該第１棒本体と当該第２棒本体がそれぞれクリップを利用して布バナーを挟んで固定され、
当該クリップは、複数の位置付け穴を成形し、締結部材が順番に当該複数の位置付け穴と当該複数の貫通孔とを通過することで、当該布バナーを固定することができることを特徴とする請求項２に記載の布バナー固定装置。
【発明の詳細な説明】
【技術分野】
【０００１】
本発明は、ミシン加工不要且つ梯子で登ることも不要で、手軽に布バナー（banner）を置き換えられる布バナー固定装置である。布バナー固定装置は、天井または壁のような平面に取り付けられ、布バナーを掲げるかつ展示させるものである。本発明は、特に内部に位置付けアームを設けてあるスライド・ユニットによって、すぐに位置付けが可能になるとともに、様々な長さ仕様を有する布バナーにも適用することが可能な布バナー固定装置に関する。
【背景技術】
【０００２】
一般的な印刷広告宣伝方式としては、所定の寸法を有する布旗にパターンやテキストを印刷し、かつそれを目立つ位置にセットし、これにより、展示や宣伝を促す。今のところ、市販されている布旗は縦型布旗と横型布旗とを２種類に分けてある。その中の横型布旗もバナーを称し、通常の状態では展示会、選挙キャンペーンまたはストアの入り口に掲げられる。詳しく説明すると、布バナーの上端部をタイロープやフックなどでアーケードの天井や店舗看板の下端部に固定する。また、ユーザは多くの場合に水瓶などのような重しを布バナーの下端部に縛りつける。これにより、布バナーが強風で引き起こされた縮れを防止することができる。しかしながら、当該方法はファサード（facade）イメージを妨げるのみならず、重しが転落することで通行人が負傷する恐れもある。また、バナーを置き換える時、ユーザが危険で高い所に登らなければならないので、バナーを掲げる危険性が増えるはずである。
【発明の開示】
【発明が解決しようとする課題】
【０００３】
今のところ、従来技術はまた次の問題がある。布バナーは昇降することが可能であるが、それでもロープ本体が滑車に沿って作動し、その後ロープを縄固定座に結びつける。しかし、環境や現場の影響でこれが制限され、ロープ本体を延長するとともに、滑車も増設する必要がある場合もある。そのため、コストを増加させるだけではなく、全体的な視覚効果が低下し、複雑に見えるだけではなく、ファサード外観の不良に繋がる。また、布バナーはロープ本体で掲げられる必要があり、乱気流に当てられると、布バナーが激しい揺れを生じ、さらに布バナーの変形や緩めを引き起こす場合もある。
【０００４】
次に、布バナーの上縁の両端部を固定するベースは締め付方式で固定される。したがって、取り付ける時に、布バナーの寸法が限られるという問題があった。また、従来の布バナーは事前にミシン加工によって縫わなければならないが、時々不良な縫製があった場合には、布バナーの掲げに関する品質に影響を波及し且つ加工時間もかかり過ぎという懸念があるので、それらを改善する必要がある。
【課題を解決するための手段】
【０００５】
そこで、本発明は当該課題を解決するために開発したものである。発明者はミシン加工不要且つ梯子で登ることも不要で、布バナーを置き換えられる布バナー固定装置であって、すぐに位置付けができあがるとともに、様々な長さ仕様を有する布バナーにも適用することが可能な布バナー固定装置を提供することを目的とする。
【０００６】
当該目的を達成するために、本発明は、主に第１調整装置と第２調整装置を天井または壁に取り付けてある。第２調整装置は、スライド・ユニットの往復運動を行うスライド・レールを有する基部を持ってある。また、第１調整装置と第２調整装置は、それぞれ棒本体を有し、棒本体にミシン加工不要な布バナーが外嵌される。従って、布バナーの両端部をそれぞれ第１調整装置と第２調整装置の棒本体に外嵌した時に、操作レバーでスライド・ユニットの往復運動を行ない、さらにスライド・ユニットが布バナーの一端部を引っ張る。よって、布バナーの寸法に応じて迅速的に布バナーを平らな状態にするように展開し、これにより、布バナーが張力を受けて緊張な状態になる。
【発明の効果】
【０００７】
従って、広告展示の効果を達成することができる。また、当該スライド・ユニットの内部に、更に位置付けアームを設けてある。スライド・ユニットが移動されて布バナーを平らに展開すると、位置付けアームがスライド・レール基部とお互いに係合することによってすぐに位置付けの効果を達成することができる。且つスライド・ユニットが外力の影響を受けないことを確保することができ、スライド・ユニットが左右への移動による緩めを防止することが可能であるため、布バナーの張力不足に起因する縮れや緩めを有効に防止することができる。
【図面の簡単な説明】
【０００８】
本発明の目的、技術特徴、及び実施後の効果を一層理解するために、以下の図面を参照してより詳しく説明する。
【図１】図１は、本発明の斜視外観図である。
【図２】図２は、本発明の構造の概略図である。
【図３】図３は、本発明の詳細構造図（一）である。
【図４】図４は、本発明の詳細構造図（二）である。
【図５】図５は、本発明の詳細構造図（三）である。
【図６】図６は、本発明の実施の概略図（一）である。
【図７】図７は、本発明の実施の概略図（二）である。
【図８】図８は、本発明の実施の概略図（三）である。
【図９】図９は、本発明の実施の概略図（四）である。
【図１０】図１０は、本発明の別の好ましい実施例（一）である。
【図１１】図１１は、本発明の別の好ましい実施例（二）である。
【発明を実施するための形態】
【０００９】
以下、図面を用いて本発明の布バナー固定装置をより詳しく説明する。図１に示すように、本発明の布バナー固定装置１は、主に第１調整装置１０と第２調整装置１２から構成され、かつ第２調整装置１２と第１調整装置１０はそれぞれ天井や壁面に取り付けられる。第１調整装置１０は、基部１０１と、第１接続部１０２と、第１棒本体１０３とを具備してある。その中の第１棒本体１０３は第１接続部１０２に内嵌され、第１接続部１０２が基部１０１に固定される。従って、布バナーの一端部を第１棒本体１０３に挿入した後に、さらに第１棒本体１０３が第１接続部１０２に内嵌されることにより、その布バナーの一端部を固定することができる。
【００１０】
一方、第２調整装置１２は、スライド・レール基部１２１と、スライド・ユニット１２２と、第２棒本体１２３とを含んである。その中のスライド・ユニット１２２は、スライド・レール基部１２１に組み付けられる。スライド・ユニット１２２は、往復運動した時に簡単にスライド・レール基部１２１から逸脱されないために、嵌入の方式でスライド・レール基部１２１に組み付けられる。また、第２棒本体１２３は、スライド・ユニット１２２に組み付けられる。布バナーの別の一端部は、第２棒本体１２３に外嵌された後に、スライド・ユニット１２２を利用して第２棒本体１２３を駆動することにより、布バナーを左右（例えば、図８の左右）に移動するように引っ張る。
【００１１】
このようにして、布バナーは緊張されて平らな状態に展開されるようになる。これにより、ロープで布バナーを固定するような従来技術による店舗のファサードの悪化に繋がることを改善することができる。さて、当該第１棒本体１０３及び第２棒本体１２３は中空管体またはアルミニウム押出しのどちらでもよいが、これらに限定されるものではない。
【００１２】
図２に示すように、当該第１接続部１０２は、第１棒本体１０３を内嵌する収容空間Aを成形してある。また、第１棒本体１０３は、布バナーの一端部を外嵌する且つ固定するものである。また、スライド・ユニット１２２は、スライド・レール基部１２１の中に内嵌し、ベース１２２１と、連動歯車１２２２と、連動ベルト１２２３と、二つの滑車１２２４と、固定カバー１２２５と、位置付けアーム１２２６と、第２接続部１２２７とを含んである。その中の、位置付けアーム１２２６及び第２接続部１２２７は、ベース１２２１に組み付けられる。
【００１３】
さらに、連動ベルト１２２３の一つの面は、噛み合い面１２２８を成形し、かつその両端部がベース１２２１に組み付けられる。前述の噛み合い面１２２８は、連動歯車１２２２の表面に噛合わせられる。また、固定カバー１２２５はベース１２２１に組み付けられるため、連動歯車１２２２を固定カバー１２２５の中に固定する。更に、二つの滑車１２２４は、それぞれ連動歯車１２２２の両側に設けられるため、連動歯車１２２２の両側に噛み合う連動ベルト１２２３をさらに押さえる。これにより、連動ベルト１２２３は、連動歯車１２２２からの逸脱を有効に防止することができる。
【００１４】
一方、第２接続部１２２７は、第２棒本体１２３を内嵌する収容空間A‘を成形してある。また、第２棒本体１２３は布バナーの別の一端部を挿通する且つ固定するものである。従って、連動歯車１２２２が外力を受けて回転してかつ変位した時に、ベース１２２１を駆動してスライド・ユニット１２２が往復運動を行うことにより、第２棒本体１２３に外嵌される布バナーを引っ張る。よって、布バナーの寸法に応じて、迅速的に布バナーを平らな状態にするように展開する。これによって広告展示を行う。
【００１５】
図３に示すように、収容空間Aは少なくとも一つの弾性位置付け用部材１０２１を設けてある。弾性位置付け用部材１０２１は、位置決め用玉でもよいが、これに限定されることがない。第１棒本体１０３は少なくとも一つの貫通孔１０３１を成形してある。従って、第１棒本体１０３は、第１接続部１０２の内部に内嵌された時に、弾性位置付け用部材１０２１が自動的に貫通孔１０３１の中に入り込むことにより、第１棒本体１０３を簡単に第１接続部１０２から逸脱させないように確保することができる。よって、位置付け効果が達成することができる。また、第２接続部１２２７及び第２棒本体１２３の成形と取り付け方式は前述と同様であるので、ここでは説明を省略する。
【００１６】
図４と図２から分かるように、第２調整装置１２は、スライド・レール基部１２１と、スライド・ユニット１２２と、第２棒本体１２３とから構成してなる。スライド・レール基部１２１は、複数の位置付け溝１２１１を設けてある。また、スライド・ユニット１２２は、ベース１２２１と、連動歯車１２２２と、連動ベルト１２２３と、二つの滑車１２２４と、固定カバー１２２５と、位置付けアーム１２２６と、第２接続部１２２７とを含んである。従って、第２棒本体１２３が第２接続部１２２７に内嵌された後に、連動歯車１２２２を駆動して一方向（図の矢線方向に示す）へ移動するうちに、ベース１２２１も駆動してスライド・ユニット１２２が直線運動を行うとともに、スライド・ユニット１２２を往復運動させる。スライド・ユニット１２２が適当な位置に移動すると、位置付けアーム１２２６が位置付け溝１２１１に入り込んで且つお互いに係合することにより、すぐに位置付けの効果を達成する。
【００１７】
続いて図５から分かるように、スライド・ユニット１２２は、適当な位置に移動すると、位置付けアーム１２２６がスライド・レール基部１２１の位置付け溝１２１１とお互いに係合する。それとともに、位置付けアーム１２２６がまた係止部１２２９を具備してあるので、外力の影響（図の矢線方向に示す）があった場合、係止部１２２９が位置付け溝１２１１の一つの側壁１２１２に当たることにより、ベース１２２１が左右に可動することを阻む。これにより、より良いかつ安定な展示効果が可能である。
【００１８】
図６から分かるように、布バナー２０の一端部が第１棒本体１０３に外嵌されると、一個以上のCタイプ止め輪３０を利用してバックルの方式で布バナー２０の一端部を第１棒本体１０３に固定する。Cタイプ止め輪３０は弾性を持ってあるので、Cタイプ止め輪３０が第１棒本体１０３に取り付けられると、布バナー２０を一層締め付けて固定することにより、布バナー２０が簡単に滑り落ちない。また、布バナー２０が交換される際に、Cタイプ止め輪３０の開口端３０１を拡げるだけで、Cタイプ止め輪３０の取り外しが簡単にできる。従って、オペレータはニーズに応じて迅速且つ簡単な取り外す効果が得られる。
【００１９】
図７に示すように、布バナー２０の両端部がそれぞれ第１棒本体１０３と第２棒本体１２３に外嵌された後に、先に操作レバー４０を第１棒本体１０３に挿入し、さらに第１棒本体１０３を事前に基部１０１に組み付けられた第１接続部１０２に挿入する。当該基部１０１は予め天井または壁面に組み付けられることが可能である。第１棒本体１０３が第１接続部１０２に嵌合された後に、さらに操作レバー４０を用いて前述のやり方で第２棒本体１２３を第２接続部１２２７に内嵌する。これにより、ユーザは操作レバー４０を利用するだけで、手軽に布バナー２０を天井に掲げることが可能であるから、従来の梯子で高い所まで登って横バナーを掲げる危険性がない。
【００２０】
図８から分かるように、布バナー２０の両端部がそれぞれ第１棒本体１０３と第２棒本体１２３に外嵌され、さらに第１棒本体１０３と第２棒本体１２３はそれぞれ第１接続部１０２と第２接続部１２２７に内嵌される。その後に、操作レバー４０を利用して連動歯車１２２２を駆動して回転させ、さらにベース１２２１を駆動してスライド・レール基部１２１に載せてスライド・ユニット１２２を直線運動させることにより、第２棒本体１２３に外嵌された布バナー２０の一端部が別の一端部に対して移動する。
【００２１】
図９に示すように、布バナー２０の両端部がそれぞれ第１棒本体１０３と第２棒本体１２３とに外嵌されて且つ第１棒本体１０３と第２棒本体１２３を操作レバー４０を通してそれぞれ第１接続部１０２と第２接続部１２２７とに内嵌した後に、再度、操作レバー４０を利用してスライド・ユニット１２２を作動して移動させ、更に布バナー２０を展開する。図に示すように、ユーザは、布バナー２０の寸法や大きさに応じて第２調整装置１２を通して迅速的に布バナー２０を展開することができる。よって、広告展示効果を達成することが可能になる。
【００２２】
図１０を参照すると、布バナー２０の一端部が複数の貫通孔１０３１を成形してある第１棒本体１０３に外嵌されると、クリップ３１を利用して布バナー２０が第１棒本体１０３に挟まれて固定される。また、クリップ３１は複数の位置付け穴３１１を成形してあるので、布バナー２０の一端部がクリップ３１で第１棒本体１０３に挟まれて固定されると、締結部材３２を利用してクリップ３１の位置付け穴３１１と第１棒本体１０３の貫通孔１０３１とを順番に通過させることにより、布バナー２０の両側が第１棒本体１０３にしっかり固定されることができる。
【００２３】
図１１は、本発明の別の好ましい実施例（二）である。図１１を参照するとともに、図２も参照して、第２棒本体１２３の先端の近傍に更に係合部１２３２を設けてあり、また、スライド・ユニット１２２のベース１２２１に対応係合部１２２１１を設けてある。図に示すように、係合部１２３２と対応係合部１２２１１の係合によって、第２棒本体１２３はより強固に第２接続部１２２７の内部に内嵌される。このように、第２棒本体１２３は、スライド・ユニット１２２が往復運動した時に、第２接続部１２２７から逸脱させないように確保することができるので、位置付け効果と安全性の向上が実現することができる。また、第１接続部１０２及び第１棒本体１０３の取り付け方式は前述と同様ですから、説明については省略する。
【００２４】
前述から分かるように、本発明の布バナー固定装置は、主に第１調整装置と第２調整装置を天井または壁に取り付けてあり、且つ布バナーの一端部が第１調整装置の第１棒本体に外嵌され、布バナーの別の一端部が第２調整装置の第２棒本体に外嵌される。その後に、第２調整装置のスライド・ユニットを移動することにより、さらにスライド・ユニットに組みつけられた第２棒本体を駆動して移動させる。これにより、布バナーを拡げて展示する。第２調整装置は、スライド・レール基部と、スライド・ユニットと、第２棒本体とから構成される。前述のスライド・ユニットの中に、噛み合い面を成形してある連動ベルトを連動歯車の鋸歯状の表面に噛み合わせ、また連動歯車はベースに組み付けられる固定カバーの中に固定する。
【００２５】
従って、ユーザは操作レバーを利用して連動歯車を駆動して一方向へ変位すると、ベースも駆動して往復運動する。また、スライド・ユニットは位置付けアームを持っているので、スライド・ユニットが適当な位置に移動すると、位置付けアームはすぐにスライド・レール基部とお互いに係合することにより、すぐに位置付けの効果を達成する。よって、本発明は、前述のことに基づいて実施することにより、布バナーの迅速的な位置付けが可能になるとともに、様々な大きさや寸法を有する布バナーにも適用することが可能な布バナー固定装置を提供するという目的を確実に達成する。
【００２６】
但し、当該内容は本発明の好ましい実施態様であり、本発明の実施範囲を制限するものではない。当発明の主旨と範囲を逸脱しないで、この技術分野に精通する者によって行われた変更及び修正は全て当発明の特許範囲内に覆うべきである。
【産業上の利用可能性】
【００２７】
本発明によれば、布バナーの張力不足に起因する縮れや緩めを有効に防止し、迅速的な位置付けが可能になるとともに、様々な長さ仕様を有する布バナーにも適用することができる。横バナーに置き換える時、伝統的な梯子で高い所に登ることがないので、危険性がない。
【符号の説明】
【００２８】
１      ：布バナー固定装置
１０    ：第１調整装置
１０１  ：基座
１０２    ：第１接続部
１０２１  ：弾性位置付け用部材
１０３    ：第１棒本体
１０３１  ：貫通孔
２０    ：布バナー
４０    ：操作レバー
A,A’    ：  収容空間
１２   ：第２調整装置
１２１  ：スライド・レール基部
１２１１：位置付け溝
１２１２：側壁
１２２  ：スライド・ユニット
１２２１：ベース
１２２１１：対応係合部
１２２２：連動歯車
１２２３：連動ベルト
１２２４：滑車
１２２５：固定カバー
１２２６：位置付けアーム
１２２７：第２接続部材
１２２８：噛み合い面
１２２９：係止部
１２３  ：第２棒本体
１２３１：貫通孔
１２３２  ：係合部
３０    ：C タイプ止め輪
３０１  ：開口端
３１    ：クリップ
３１１  ：位置付け穴
３２    ：締結部材
【図１】
2016133804.tif 000003
【図２】
2016133804.tif 000004
【図３】
2016133804.tif 000005
【図４】
2016133804.tif 000006
【図５】
2016133804.tif 000007
【図６】
2016133804.tif 000008
【図７】
2016133804.tif 000009
【図８】
2016133804.tif 000010
【図９】
2016133804.tif 000011
【図１０】
2016133804.tif 000012
【図１１】
2016133804.tif 000013